(57)【要約】【課題】ノズルを洗浄した後の汚水が飛散しやすいノズル下の便器リム内周面を確実に洗浄する。【解決手段】便器１１に載置したノズル装置１５と、その先端部を包み込み洗浄するノズル洗浄チャンバー１６と、ノズル装置１５の先端部の下方に設けられた便器洗浄ヘッド２０を備え、便器１１の便鉢上部の内面に構成されるリム内周面１９のノズル装置１５が位置する部分を清掃洗浄する。【選択図】図１
2005133478.tif 000002
【特許請求の範囲】
【請求項１】
便器と、前記便器に載置し人体の局部に洗浄水を噴出するノズル装置と、前記ノズル装置の噴出孔周りを洗浄するノズル洗浄手段と、前記便器の便鉢上部の内面に構成されるリム内周面とを備え、前記ノズル装置が位置する部分の前記リム内周面を洗浄する便器洗浄手段を有する衛生洗浄装置。
【請求項２】
便器洗浄手段は、リム内周面の位置に合わせて洗浄位置を調節する位置調節手段を有する請求項１に記載の衛生洗浄装置。
【請求項３】
水道配管に連結した給水部の二次側、かつ、ノズル装置の一次側に分岐部を設け、前記分岐部より分岐してなるサブ水路の二次側に便器洗浄手段を設けてなる請求項１に記載の衛生洗浄装置。
【請求項４】
サブ水路にリリーフ弁を設けた請求項３に記載の衛生洗浄装置。
【請求項５】
分岐部とノズル装置の間にポンプを設けた請求項３に記載の衛生洗浄装置。
【発明の詳細な説明】
【技術分野】
【０００１】
本発明は、特に便器の一部を洗浄する機能を有する衛生洗浄装置に関するものである。
【背景技術】
【０００２】
従来、この種の衛生洗浄装置としては、ノズルヘッドを退避位置でクリーニングするものがあった（例えば、特許文献１参照）。
【０００３】
図５に示すように、ケーシング１の内部にはノズル装置のベース２が固定され、このベース２にノズル本体３がその軸線方向に移動可能に組み込まれていた。ベース２は、パイプ状のノズル本体３の下面を受ける凹曲面状のスライド面２ａを傾斜させて備え、スライド面２ａの先端には、ノズル本体３のノズルヘッド４を洗うためのクリーニングチャンバ２ｂを有していた。
【０００４】
クリーニングチャンバ２ｂは、ベース２に一体成形したカバー５によって形成され、ノズルヘッド４を取り囲んで包囲するように構成され、駆動モータ６を駆動してノズル本体３が退避位置に収納されたときにはそのノズルヘッド４の全体がこのカバー５の中に収まっていた。
【０００５】
そして、ノズルヘッド４の上面に設けられたおしり用及びビデ用の両方の噴出孔（図示せず）から同時に洗浄水がクリーニングチャンバ２ｂのカバー５に向けて放出され、そのはね返り水によってノズルヘッド４をクリーニングし、下方へ洗い流すように構成されていた。
【０００６】
以上の構成により、汚物等で汚れやすいノズルヘッド４を最大流量できれいに洗い流すことが可能となっていた。
【特許文献１】特開平１０−３１７４６６号公報
【発明の開示】
【発明が解決しようとする課題】
【０００７】
しかしながら、前記従来の構成では、掃除の極めてしずらいノズル下の便器リム面にノズルクリーニングした汚水がかかり、便器のリム内周面が汚水で汚れるという課題を有していた。
【０００８】
本発明は、前記従来の課題を解決するもので、ノズル装置の噴出孔周りを洗浄するとともに、その下方に位置する便器のリム内周面も洗浄することができる衛生洗浄装置の提供を目的とする。
【課題を解決するための手段】
【０００９】
前記従来の課題を解決するために、本発明の衛生洗浄装置は、ノズル装置が位置する部分のリム内周面を洗浄する便器洗浄手段を設けたものである。
【００１０】
これにより、ノズルをクリーニングした汚水が飛散しやすいノズル下の便器リム内周面を洗浄できるものである。
【発明の効果】
【００１１】
本発明の衛生洗浄装置は、便器洗浄手段により、ノズルを洗浄した後の汚水が飛散しやすいノズル下の便器リム内周面を確実に清掃洗浄できるものである。
【発明を実施するための最良の形態】
【００１２】
第１の発明は、便器と、前記便器に載置し人体の局部に洗浄水を噴出するノズル装置と、前記ノズル装置の噴出孔周りを洗浄するノズル洗浄手段と、前記便器の便鉢上部の内面に構成されるリム内周面とを備え、前記ノズル装置が位置する部分の前記リム内周面を洗浄する便器洗浄手段を有する衛生洗浄装置としたことにより、便器洗浄手段により、ノズルをクリーニングした汚水が飛散しやすいノズル下の便器リム内周面を洗浄することができる。
【００１３】
第２の発明は、特に、第１の発明における便器洗浄手段は、リム内周面の位置に合わせて洗浄位置を調節する位置調節手段を有することにより、便鉢径が異なる大きさの便器に対応してノズル下の便器リム内周面を洗浄することができる。
【００１４】
第３の発明は、特に、第１の発明における水道配管に連結した給水部の二次側、かつ、ノズル装置の一次側に分岐部を設け、前記分岐部より分岐してなるサブ水路の二次側に便器洗浄手段を設けてなることにより、ノズル下の便器のリム内周面を人体局部洗浄の水流量より多い流量で確実に洗浄することができるものである。
【００１５】
第４の発明は、特に、第３の発明におけるサブ水路にリリーフ弁を設けたことにより、ノズル流量より多い流量で確実に洗浄するとともにノズル装置への供給水圧を安定させることができる。
【００１６】
第５の発明は、特に、第３の発明における分岐部とノズル装置の間にポンプを設けたことにより、人体局部洗浄に最適な水流量を確実にノズルに供給できるとともに、給水部から給水できる最大流量でノズル下の便器のリム内周面を洗浄することができる。
【００１７】
以下、本発明の実施の形態について、図面を参照しながら説明する。なお、この実施の形態によって本発明が限定されるものではない。
【００１８】
（実施の形態１）
図１〜図３は、本発明の実施の形態１における衛生洗浄装置を示すものである。
【００１９】
図１に示すように、便器１１に載置した本体１２に回転自在に便フタ１３と便座１４が取付けられており、本体１２の内部にはノズル装置１５が組み込まれており、その先端部には人体に洗浄水を噴出する噴出穴（図示せず）がその上面に構成されている。
【００２０】
また、ノズル退避時にノズル装置１５の先端部が位置する周囲には、ノズル装置１５の噴出穴周りを洗浄するためのノズル洗浄チャンバー１６（ノズル洗浄手段）が設けられ、ノズル駆動手段１７を駆動させノズル装置１５を本体１２の中に退避させたとき、ノズル洗浄チャンバー１６が噴出穴を含むノズル装置１５の先端部を包み込むように構成されている。
【００２１】
ノズル装置１５の後端部には、洗浄流量及び流路を切り替える切替弁１８が設けられており、ノズル装置１５が退避位置にある状態で切替弁１８を駆動し、ノズル洗浄チャンバー１６に設けられたクリーニングノズル（図示せず）から水を噴出することにより、ノズル先端部を洗浄するように作用する。そして、ノズル洗浄後の洗浄汚水は、その一部が便器１１の便鉢上部にあるリム内周面１９をぬらした後、便鉢内に落下する。
【００２２】
また、便器リム面部には、ノズル装置１５が位置する部分のリム内周面１９を洗浄するための便器洗浄ヘッド２０（便器洗浄手段）が設けられており、ノズル洗浄で汚れたリム内周面１９及び便器洗浄ヘッド２０自身を洗浄するように構成されている。これにより、ノズルを洗浄した汚水が飛散しやすいノズル下のリム内周面１９を洗浄することができる。
【００２３】
図２に示すように、便器洗浄ヘッド２０は、インポート２１をホース接続することにより給水され、散水口２２からリム内周面１９及びノズル装置１５側に散水する構成になっている。
【００２４】
また、便器洗浄ヘッド２０は、本体１２の下面に構成されたスライド溝２３（位置調節手段）に挿入して位置決めされ、図中の破線で示したように便鉢径が大きい便器に取付けられた場合はスライド溝に深く挿入取付けることにより、リム内周面１９と便器洗浄ヘッド２０との相対位置が同じになるよう取付け位置が調節できる構成となっている。
【００２５】
この構成において、便鉢径が異なる大きさの便器１１に対応してノズル下のリム内周面１９を洗浄することができる。
【００２６】
図３に示すように、水道配管２４に設けた分岐水栓２５に連結した連結管２６を本体１２に内蔵した止水弁２７に連通させ給水部を構成している。止水弁２７とノズル装置１５の間に加熱装置２８を設けており、給水部からの給水を適温に加熱した後、切替弁１８を介してノズル装置１５のおしり用ノズルもしくはビデ用ノズル、あるいはノズル洗浄チャンバー１６のクリーニングノズルへ選択的に通水する構成となっている。
【００２７】
また、給水部の二次側にはノズル装置１５へのメイン水路から水路を分岐する分岐部２９を設けており、分岐部２９にはメイン水路とは異なるサブ水路３０が連結されている。さらに、サブ水路３０にはほぼ一定の開弁圧力をもつリリーフ弁３１が設けられており、サブ水路３０の終端に便器洗浄ヘッド２０が接続されている。
【００２８】
以上のように構成された衛生洗浄装置において、分岐部２９から分岐されたサブ水路３０を設け、その水を使って便器洗浄ヘッド２０によりリム内周面１９を洗浄するため、ノズル装置１５への水路切替と水量調節を行っている切替弁１８で水量を制限されることなく、ノズル下の便器のリム内周面１９を人体局部洗浄の水流量より多い流量で確実に洗浄することができるものである。
【００２９】
また、サブ水路３０にほぼ一定の開弁圧力をもつリリーフ弁３１を設けたことにより、サブ水路３０側への供給水量は若干制限されるもののノズル流量より多い流量で確実に便器洗浄できるとともに、ノズル装置１５側への供給水圧をリリーフ弁３１の開弁圧力に保つことができ、サブ水路３０を設けたことにより生じるノズル側圧力の不安定という課題を解消することができる。
【００３０】
（実施の形態２）
図４は、本発明の実施の形態２における衛生洗浄装置を示すものである。
【００３１】
本実施の形態では、分岐部２９とノズル装置１５の間にポンプ３２を設け、ポンプ３２の能力制御を行うことによりノズル流量を制御するように構成している。
【００３２】
これにより、人体局部洗浄に最適な水流量を確実にノズルに供給できるとともに、分岐部２９と便器洗浄ヘッド２０を直接連結できるため、給水部から給水できる最大流量でノズル下の便器のリム内周面１９を洗浄することができるという効果がある。
【産業上の利用可能性】
【００３３】
以上のように、本発明にかかる衛生洗浄装置は、ノズルをクリーニングした汚水が飛散しやすいノズル下の便器リム内周面を洗浄できるものであるから、人体局部洗浄装置として有用である。
【図面の簡単な説明】
【００３４】
【図１】本発明の実施の形態１における衛生洗浄装置の一部破断側面図
【図２】同衛生洗浄装置のノズル装置の一部破断側面図
【図３】同衛生洗浄装置の水回路図
【図４】本発明の実施の形態２における衛生洗浄装置の水回路図
【図５】従来の衛生洗浄装置におけるノズル装置の要部破断側面図
【符号の説明】
【００３５】
１１  便器
１５  ノズル装置
１６  ノズル洗浄チャンバー（ノズル洗浄手段）
１９  リム内周面
２０  便器洗浄ヘッド（便器洗浄手段）
２３  スライド溝（位置調節手段）
２４  水道配管
２５  分岐水栓
２６  連結管
２７  止水弁
２８  加熱装置
２９  分岐部
３０  サブ水路
３１  リリーフ弁
３２  ポンプ
【図１】
2005133478.tif 000003
【図２】
2005133478.tif 000004
【図３】
2005133478.tif 000005
【図４】
2005133478.tif 000006
【図５】
2005133478.tif 000007